(57)【要約】【課題】美麗な外観を維持しつつ、ユーザーインターフェースを充実させることができる食器洗い乾燥機を提供すること。【解決手段】食器洗い乾燥機は、上面が開口した洗浄槽と、洗浄槽内に回転自在に設けられ、洗浄水を噴射する洗浄ノズルと、外部の情報端末機器と無線通信を行う通信部と、ユーザーからの指示を受け付ける操作部と、操作部の操作内容に基づいて運転を制御する通常制御モード、および、通信部で受信した情報端末機器の操作内容に基づいて運転を制御する外部制御モードを有する制御装置と、を備えたものである。【選択図】図８
2018057479.tif 000002
【特許請求の範囲】
【請求項１】
上面が開口した洗浄槽と、
前記洗浄槽内に回転自在に設けられ、洗浄水を噴射する洗浄ノズルと、
外部の情報端末機器と無線通信を行う通信部と、
ユーザーからの指示を受け付ける操作部と、
前記操作部の操作内容に基づいて運転を制御する通常制御モード、および、前記通信部で受信した前記情報端末機器の操作内容に基づいて運転を制御する外部制御モードを有する制御装置と、を備えた
ことを特徴とする食器洗い乾燥機。
【請求項２】
前記洗浄槽の前面側に設けられた前面扉を備え、
前記前面扉は上部に樹脂成形部品の操作パネルを有し、
前記通信部は、前記情報端末機器から送信された信号を受信するとともに、信号を前記情報端末機器に送信するアンテナ部を有し、
前記アンテナ部は前記前面扉の内部かつ前記操作パネルの裏側に設けられている
ことを特徴とする請求項１に記載の食器洗い乾燥機。
【請求項３】
前記アンテナ部は、前記前面扉の前面側から上面側に向かって傾斜して配置されている
ことを特徴とする請求項２に記載の食器洗い乾燥機。
【請求項４】
前記アンテナ部は、複数設けられている
ことを特徴とする請求項２または３に記載の食器洗い乾燥機。
【請求項５】
前記通信部は、ＮＦＣタグＬＳＩで構成された通信制御部を有し、
前記通信制御部は、前記アンテナ部が前記情報端末機器から受信した信号を処理するとともに、前記アンテナ部が前記情報端末機器へ送信する信号を処理するものである
ことを特徴とする請求項２〜４のいずれか一項に記載の食器洗い乾燥機。
【発明の詳細な説明】
【技術分野】
【０００１】
本発明は、外部の情報端末機器との通信を可能にした食器洗い乾燥機に関するものである。
【背景技術】
【０００２】
従来、システムキッチンを構成するキッチンカウンタ下などにビルトインされるビルトイン型の食器洗い乾燥機が提案されている（例えば、特許文献１参照）。
【０００３】
特許文献１に係る食器洗い乾燥機は、扉の表面には操作パネルが設けられ、その下方にはキッチンカウンタの下に配置されたシステムキッチン構築物の表面材と同一の素材で色調、図柄を同一にした化粧面材が取り付けられている。また、操作パネルに設けられる操作および表示に関する部品が少なくなっている。そうすることで、食器洗い乾燥機がキッチンカウンタ下などにビルトインされてシステムキッチンが構成されたときに、周囲のシステムキッチン構築物との統一感が得られ、美麗な外観のシステムキッチンが得られるようにしている。
【先行技術文献】
【特許文献】
【０００４】
【特許文献１】特開２００５−２５３８２３号公報
【発明の概要】
【発明が解決しようとする課題】
【０００５】
しかしながら、特許文献１に記載されているような従来の食器洗い乾燥機は、操作パネルに設けられる操作および表示に関する部品が少なくなっている。そのため、操作しづらく、また、ユーザーが欲している情報、例えば現時点での進行状況などを分かりやすく伝えることが難しいという課題があった。
【０００６】
本発明は、以上のような課題を解決するためになされたもので、美麗な外観を維持しつつ、ユーザーインターフェースを充実させることができる食器洗い乾燥機を提供することを目的としている。
【課題を解決するための手段】
【０００７】
本発明に係る食器洗い乾燥機は、上面が開口した洗浄槽と、前記洗浄槽内に回転自在に設けられ、洗浄水を噴射する洗浄ノズルと、外部の情報端末機器と無線通信を行う通信部と、ユーザーからの指示を受け付ける操作部と、前記操作部の操作内容に基づいて運転を制御する通常制御モード、および、前記通信部で受信した前記情報端末機器の操作内容に基づいて運転を制御する外部制御モードを有する制御装置と、を備えたものである。
【発明の効果】
【０００８】
本発明に係る食器洗い乾燥機によれば、操作部の操作内容に基づいて運転を制御する通常制御モード、および、通信部で受信した情報端末機器の操作内容に基づいて運転を制御する制御装置を備えている。そのため、操作および表示に関する部品が少なくても情報端末機器から様々な操作および表示を行うことができ、美麗な外観を維持しつつ、ユーザーインターフェースを充実させることができる。
【図面の簡単な説明】
【０００９】
【図１】本発明の実施の形態１に係る食器洗い乾燥機がキッチンカウンタにビルトインされた状態を示す斜視図である。
【図２】本発明の実施の形態１に係る食器洗い乾燥機の一部を断面で示した斜視図である。
【図３】本発明の実施の形態１に係る食器洗い乾燥機の洗浄槽の一部を断面で示した斜視図である。
【図４】図２の縦断面図である。
【図５】一部を省略した図４の平面図である。
【図６】図５の洗浄槽部分のＡ−Ａ断面図である。
【図７】本発明の実施の形態１に係る食器洗い乾燥機の第１の変形例の概略断面図である。
【図８】本発明の実施の形態１に係る食器洗い乾燥機の概略ブロック図である。
【図９】本発明の実施の形態１に係る食器洗い乾燥機の扉の構成を示す分解図である。
【図１０】本発明の実施の形態１に係る食器洗い乾燥機の正面図である。
【図１１】本発明の実施の形態１に係る食器洗い乾燥機と近距離無線通信を行う情報端末機器である。
【図１２】本発明の実施の形態１に係る食器洗い乾燥機の前面扉の操作パネル周辺の縦断面を示す図である。
【図１３】通信部のアンテナ部の図１２とは別の第１の配置パターンを示す図である。
【図１４】通信部のアンテナ部の図１２とは別の第２の配置パターンを示す図である。
【図１５】本発明の実施の形態１に係る食器洗い乾燥機の第２の変形例の正面図である。
【図１６】本発明の実施の形態１に係る食器洗い乾燥機の第３の変形例の正面拡大図である。
【図１７】本発明の実施の形態２に係る食器洗い乾燥機の洗浄槽をキッチンカウンタの収容部から出した状態で操作部および表示部を上方から見た概略図である。
【図１８】本発明の実施の形態２に係る食器洗い乾燥機がビルトインされたキッチンカウンタの正面図である。
【図１９】本発明の実施の形態２に係る食器洗い乾燥機の洗浄槽をキッチンカウンタの収容部から出した状態で操作部および表示部を上方から見た第１の変形例の概略図である。
【図２０】本発明の実施の形態２に係る食器洗い乾燥機がビルトインされたキッチンカウンタの第１の変形例の正面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る食器洗い乾燥機１００がキッチンカウンタ２００にビルトインされた状態を示す斜視図である。
本実施の形態１に係る食器洗い乾燥機１００は、キッチンカウンタ２００に設けられた収容部（図示せず）内に収容されるビルトイン型である。
食器洗い乾燥機１００の前面に設けられた前面扉５の上部には操作パネル４０が設けられている。また、操作パネル４０の下方にはキッチンカウンタ正面２０１と同一の素材で色調、図柄を同一にした化粧面材１４が取り付けられている。したがって、食器洗い乾燥機１００をキッチンカウンタ２００にビルトインした際に、周囲との統一感が得られ、美麗な外観を得ることができる。
【００１２】
図２は、本発明の実施の形態１に係る食器洗い乾燥機１００の一部を断面で示した斜視図であり、図３は、本発明の実施の形態１に係る食器洗い乾燥機１００の洗浄槽２の一部を断面で示した斜視図であり、図４は、図２の縦断面図であり、図５は、一部を省略した図４の平面図であり、図６は、図５の洗浄槽２部分のＡ−Ａ断面図である。なお、図６は、図５のＡ−Ａ断面を矢印方向から見た図である。また、以下の説明において、図２〜図５の左側を前面側、右側を後面側という。
【００１３】
図２〜図６に示すように、本実施の形態１に係る食器洗い乾燥機１００は、前面が開口した前面開口部を有し、食器洗い乾燥機１００の外郭となる筐体１と、上面が開口した上面開口部を有し、食器かご５０および食器かご５０に載置された食器類５１を収納する洗浄槽２と、を備えている。
【００１４】
洗浄槽２の底部２ａの前面側の隅部には、洗浄水が流入する流入凹部６が設けられており、この流入凹部６と並んで流入凹部６と連通し、洗浄水を加熱する凹状の洗浄水加熱流路７が設けられている。また、洗浄水加熱流路７を流れる洗浄水の流れ方向と平行に整流用突起部８が設けられている。そして、流入凹部６には残菜フィルタ９が着脱自在に装着されており、洗浄水加熱流路７の整流用突起部８の外周には、底部と一定の距離を隔てて支持固定部材１１に支持された洗浄水を加熱する加熱ヒータ１０が配設されている。
【００１５】
洗浄槽２の上部には、洗浄槽２の上面開口部を開閉する内蓋４が設けられており、内蓋４は、筐体１の側壁に設けた支持部材４６に支持されており、筐体１と支持部材４６との間に介装されたばね４７により洗浄槽２から離間する方向に付勢されている。
【００１６】
洗浄槽２の下部には、熱伝達係数の低い例えば合成樹脂材料からなり、加熱ヒータ１０が配設された洗浄水加熱流路７の上面開口部を閉塞する断熱カバー１５が設けられている。また、断熱カバー１５には、熱伝達係数の低い例えばステンレスなどの金属板からなる遮熱板１７が設けられている。また、加熱ヒータ１０の下方の前面側には排水口１８が設けられており、加熱ヒータ１０の下方の後面側には洗浄口１９が設けられている。
【００１７】
図７は、本発明の実施の形態１に係る食器洗い乾燥機１００の第１の変形例の概略断面図である。
なお、本実施の形態１では、流入凹部６の外部に断熱カバー１５が設けられ、その断熱カバー１５に加熱ヒータ１０が配設された構成で説明したが、図７に示すように流入凹部６の内部に加熱ヒータ１０を設ける構成でもよく、いずれかの構成を適宜選択可能である。流入凹部６の内部に加熱ヒータ１０を設ける構成では、加熱ヒータ１０の上方に残菜フィルタ９が装着されるので、断熱カバー１５が不要となり、コストダウンを図ることができる。
【００１８】
流入凹部６の対角線上には、洗浄槽２内に洗浄水を給水する給水口２４が設けられており、洗浄槽２の底部２ａの下面には洗浄ポンプ２５が取付けられている。また、洗浄槽２の底部２ａのほぼ中央部に支持軸２８が設けられており、その支持軸２８には、洗浄水が噴射される複数の噴射口２７、２７ａを有する洗浄ノズル２６が回転自在に支持されている。
【００１９】
洗浄ノズル２６は、送水配管２９により洗浄ポンプ２５の吐出口に連結されている。なお、洗浄水加熱流路７は、吸込配管３０により洗浄ポンプ２５の吸込口に連結されている。また、一端が洗浄ポンプ２５の送水配管２９に接続され、他端が筐体１外に導かれて開口する排水配管３１が設けられており、送水配管２９と排水配管３１とは、切換弁（図示せず）によって切換えられる。
【００２０】
なお、本実施の形態１では、１つの洗浄ポンプ２５を切換えることで、洗浄のための送水と排水とを行う構成で説明したが、図７に示すように洗浄ポンプ８０と排水ポンプ８１とを独立させて設けた構成でもよく、いずれかの構成を適宜選択可能である。洗浄ポンプ８０と排水ポンプ８１とを独立させて設けた構成では、洗浄しながら排水を行うことができ、制御のバリエーションを増やすことができる。
【００２１】
洗浄槽２の後壁には、温風送風部３５が設置されており、温風送風部３５は、洗浄槽２内に空気を供給する送風ファン３６と、送風ファン３６を駆動するモータ３７と、送風ファン３６の下流側に配設され、空気を加熱して温風にする乾燥ヒータ３８とからなる。そして、温風送風部３５によって生成された温風は、洗浄槽２の後壁に設けた温風送風口３９から洗浄槽２内に吹込まれる。
【００２２】
なお、空気を加熱して温風にする乾燥ヒータ３８には、ＰＴＣヒータを用いてもよい。ここで、ＰＴＣとは、Positive Temperature Coefficient（＝正温度係数）の頭文字をとったもので、温度が高くなると電気抵抗値が正の数の係数だけ変化する特性のことをいい、ＰＴＣヒータはこの特性を利用したものである。このＰＴＣヒータの、温度が低いときは抵抗値が小さいため電流が流れやすいが、温度が高くなると抵抗値が大きくなって電流が流れにくくなるという特性を利用し、一定の温度に達したらそれ以上に温度が上がらなくなることで、省エネ性、安全性などに優れている。
【００２３】
図８は、本発明の実施の形態１に係る食器洗い乾燥機１００の概略ブロック図である。
洗浄槽２の前壁には、図４に示すように、食器洗い乾燥機１００の運転を制御する制御装置６０が設けられている。制御装置６０は、例えば、図８に示すように、マイクロコンピュータ６１を含む。マイクロコンピュータ６１には、後述する操作部４３、通信部７０などからの信号が入力される。また、マイクロコンピュータ６１は、例えば、上記の入力などに基づいて、加熱ヒータ１０、洗浄ポンプ２５、送風ファン３６、乾燥ヒータ３８、表示部４４などに信号を出力して、これらの制御を行う。なお、制御装置６０は、マイクロコンピュータ６１の代わりに、特定の信号処理を行う電気回路などで構成してあってもよい。
【００２４】
図９は、本発明の実施の形態１に係る食器洗い乾燥機１００の前面扉５の構成を示す分解図であり、図１０は、本発明の実施の形態１に係る食器洗い乾燥機１００の正面図である。
図９および図１０に示すように、前面扉５は前述のように上部に設けられた操作パネル４０と、下部つまり操作パネルの下方に設けられた化粧面材１４とで構成されている。操作パネル４０は樹脂成形部品であり、正面視して左側には排気口４２が、中央部には取っ手４１が設けられている。また、操作パネル４０の右側には操作ボタンなどからなり、ユーザーからの指示を受ける操作部４３と、ＬＥＤなどからなり、ユーザーに食器洗い乾燥機１００の状態を報知する表示部４４と、後述する通信エリア表示部４５と、がそれぞれ設けられている。
【００２５】
図１１は、本発明の実施の形態１に係る食器洗い乾燥機１００と近距離無線通信を行う情報端末機器３００であり、図１２は、本発明の実施の形態１に係る食器洗い乾燥機１００の前面扉５の操作パネル４０周辺の縦断面を示す図である。
【００２６】
通信部７０は、近距離無線通信により、図１１に示す外部の情報端末機器３００との通信を行う機能を有している。ここで、近距離無線通信とは、例えばＮＦＣ（Ｎｅａｒ  Ｆｉｅｌｄ  Ｃｏｍｍｕｎｉｃａｔｉｏｎ）であり、ＩＳＯ／ＩＥＣ１４４４３、ＩＳＯ／ＩＥＣ１５６９３などに代表される、通信距離がおよそ１０ｃｍ以下の短距離無線通信規格である。
【００２７】
通信部７０は、図８に示すように、アンテナ部７１と、ＮＦＣタグＬＳＩで構成された通信制御部７２とを備えている。なお、アンテナ部７１は、銅線を巻回したものでもよいし、または基板に巻回した配線をプリントしたものでもよい。また、アンテナ部７１は、情報端末機器３００から送信された信号を受信するとともに、信号を情報端末機器３００に送信するものである。通信制御部７２は、アンテナ部７１が情報端末機器３００から受信した信号を処理するとともに、アンテナ部７１が情報端末機器３００へ送信する信号を処理するものである。
【００２８】
なお、制御装置６０は、通信制御部７２が処理した信号に基づいて、加熱ヒータ１０、洗浄ポンプ２５、送風ファン３６、乾燥ヒータ３８、表示部４４などに信号を出力して、これらの制御を行う。または、食器洗い乾燥機１００の状態に応じて通信制御部７２に信号を出力して、情報端末機器３００の端末表示操作部３０１に運転状態、運転中の残り時間など必要な情報を出力する。
【００２９】
情報端末機器３００は、例えば高機能携帯電話であるスマートフォンであり、図１１に示すように、操作および表示を行う端末表示操作部３０１と、食器洗い乾燥機１００の通信部７０と通信を行う端末通信部（図示せず）と、を備えている。端末表示操作部３０１は、例えば選択画面を表示させ、そこから運転開始、コース選択、タイマー設定などを行うことができるようになっており、また、運転状態、運転中の残り時間などに関する情報が表示されるようになっている。
【００３０】
図１２に示すように、通信部７０のアンテナ部７１は、前面扉５の内部かつ操作パネル４０の裏側に設けられている。なお、通信部７０のアンテナ部７１を、操作パネル４０に設けられている取っ手４１、排気口４２、操作部４３、および表示部４４と重ならない位置に設けることで、容易に前面扉５内に内蔵することができる。
【００３１】
また、通信部７０のアンテナ部７１は、前面扉５の前面側から上面側に向かって傾斜して配置されている。また、図１０に示す通信エリア表示部４５は、操作パネル４０の前面および上面（図示せず）に設けられている。そして、前面扉５の前方および上方から通信エリア表示部４５に情報端末機器３００を近づけることにより、通信部７０と情報端末機器３００との通信が可能となっている。
【００３２】
ここで、通信部７０のアンテナ部７１の前面側および上面側には、操作パネル４０が配置されており、その操作パネル４０は樹脂成形部品であるため、金属のように信号を含む電波が遮蔽されずに透過する。そのため、電波障害なく、通信部７０と情報端末機器３００との通信が可能となっている。
【００３３】
なお、表示部４４またはスピーカーなどからなる音声部（図示せず）により、通信エリア表示部４５の位置を案内するようにしてもよい。また、通信エリア表示部４５に情報端末機器３００が一定距離近づいたら、表示部４４または音声部により通信可能状態であることを報知するようにしてよい。また、スピーカーなどからなる音声部（図示せず）ではなく、安価に構成できるブザー（図示せず）を用いてブザー音による報知により、通信エリア表示部４５の位置を案内したり、通信可能状態であることを報知したりしてもよい。
【００３４】
図１３は、通信部７０のアンテナ部７１の図１２とは別の第１の配置パターンを示す図であり、図１４は、通信部７０のアンテナ部７１の図１２とは別の第２の配置パターンを示す図である。
ここで、信号の送受信方向は通信部７０のアンテナ部７１の配置によって異なり、図１３に示すように、通信部７０のアンテナ部７１が前面扉５の上面側に上面と並行に配置されている場合は、通信エリア表示部４５を操作パネル４０の上面のみに設け、前面扉５の上方から通信エリア表示部４５に情報端末機器３００を近づけることにより、通信部７０と情報端末機器３００との通信が可能となっている。しかし、前面扉５の前方から情報端末機器３００を近づけても、通信部７０と情報端末機器３００との通信は不可能となっている。
【００３５】
また、図１４に示すように、通信部７０のアンテナ部７１が前面扉５の前面側に前面と並行に配置されている場合は、通信エリア表示部４５を操作パネル４０の前面のみに設け、前面扉５の前方から通信エリア表示部４５に情報端末機器３００を近づけることにより、通信部７０と情報端末機器３００との通信が可能となっている。しかし、前面扉５の上方から情報端末機器３００を近づけても、通信部７０と情報端末機器３００との通信は不可能となっている。
【００３６】
そのため、図１２に示すように、通信部７０のアンテナ部７１を前面扉５の前面側から上面側に向かって傾斜して配置することで、より広範囲で信号の送受信が可能となる。
【００３７】
図１５は、本発明の実施の形態１に係る食器洗い乾燥機１００の第２の変形例の正面図である。
図１５では、食器洗い乾燥機１００の前面全体、つまり前面扉５の全体が化粧面材１４ａで構成されており、化粧面材１４ａ内に排気口４２と操作部４３および表示部４４を有する操作パネル４０ａとが設けられている。また、操作部４３にはドア開ボタン４９が設けられており、ドア開ボタン４９を押下することで、自動で洗浄槽２をキッチンカウンタ２００の収容部から出すことができるようになっている。
【００３８】
このような構成とすることで、正面の意匠から取っ手４１を削減することができ、操作パネル４０ａも小さくすることができるため、正面視した際により美麗な外観を得ることができる。また、このように構成された前面扉５では、操作パネル４０ａを樹脂成形部品とし、前面扉５の内部かつ操作パネル４０の裏側に通信部７０を設けることで、電波障害なく、情報端末機器３００と通信部７０とで通信を行うことができる。
【００３９】
ただし、この第２の変形例において、前面扉５の正面が樹脂成形部品ではなく、化粧面材１４ａが金属のように電波を遮蔽する材料で形成されている場合は、電波障害が発生してしまう。そのため、図１３に示すように、通信部７０を前面扉５の上面側に上面と並行に配置し、前面扉５の上方から通信エリア表示部４５に情報端末機器３００を近づけることにより、通信部７０と情報端末機器３００とで通信を行うことができるようにするとよい。
【００４０】
図１６は、本発明の実施の形態１に係る食器洗い乾燥機１００の第３の変形例の正面拡大図である。
図１６では、第２の変形例と同様に、食器洗い乾燥機１００の前面全体、つまり前面扉５の全体が化粧面材１４ｂで構成されているが、化粧面材１４ｂ内に排気口４２、操作部４３、および表示部４４を有する操作パネル４０ｂが設けられている。このような構成とすることで、構成部品毎に対応する開口部を化粧面材１４ｂに設ける必要なく、操作パネル４０ｂに対応する開口部を１つ設けるだけでよい。そして、操作パネル４０ｂは操作パネル４０ａよりも大きくなるため、前面扉５の内部かつ操作パネル４０の裏側の、通信部７０を設置できる範囲を広くすることができる。
【００４１】
また、制御装置６０は、通常制御モードと外部制御モードとを備えている。通常制御モードは、操作部４３の操作内容に基づいて食器洗い乾燥機１００の運転を制御するモードであり、外部制御モードは、情報端末機器３００の端末表示操作部３０１の操作内容に基づいて食器洗い乾燥機１００の運転を制御するモードである。制御装置６０は、通常制御モード中は操作部４３の操作のみ受け付け、その操作内容に基づいて食器洗い乾燥機１００の運転を制御する。また、制御装置６０は、外部制御モード中は情報端末機器３００の端末表示操作部３０１の操作のみ受け付け、その操作内容に基づいて食器洗い乾燥機１００の運転を制御する。
【００４２】
なお、外部制御モード中は、操作部４３の操作および情報端末機器３００の端末表示操作部３０１の操作のどちらも受け付け、その操作内容に基づいて食器洗い乾燥機１００の運転を制御するようにしてもよい。ただし、その場合はあらかじめ優先順位を設定しておき、操作部４３の操作と情報端末機器３００の端末表示操作部３０１の操作とが同じタイミングで行われたときは、優先順位の高い方からの操作のみ受け付けるようにするとよい。
【００４３】
なお、通常制御モードと外部制御モードとの切換えは、専用に設けられた切換ボタン（図示せず）を押下して行ってもよいし、複数のボタンを同時押しで行ってもよいし、１つのボタンを複数回押しで行ってもよい。また、通信エリア表示部４５に情報端末機器３００が一定距離近づいたら、自動で外部制御モードに切換え、通信エリア表示部４５から情報端末機器３００が一定距離離れたら、自動で通常制御モードに切換えるようにしてもよい。
【００４４】
本実施の形態１に係る食器洗い乾燥機１００では、外部制御モード中に情報端末機器３００の端末表示操作部３０１を操作することで、運転開始、コース選択、タイマー設定などを行うことができ、また、情報端末機器３００の端末表示操作部３０１から、そこに表示された運転状態、運転中の残り時間などを確認することができる。
【００４５】
なお、本実施の形態１では、通信部７０は、近距離無線通信により、情報端末機器３００との通信を行う機能を有しているとしたが、それに限定されず、無線ＬＡＮ、赤外線通信、Ｂｌｕｅｔｏｏｔｈ（登録商標）など、任意の通信規格により情報端末機器３００との通信を行う機能を有していてもよい。
【００４６】
次に、上記のように構成した本実施の形態に係る食器洗い乾燥機１００の動作について説明する。
まず、取っ手４１を持って洗浄槽２をキッチンカウンタ２００の収容部から引出す。このとき、ばね４７に付勢されている内蓋４は洗浄槽２から離脱して残置され、洗浄槽２のみが引出される。そして、食器類５１を収納した食器かご５０を、上面開口部から洗浄槽２内にセットする。なお、食器かご５０を洗浄槽２内にセットしておき、これに上部開口部から食器類５１を入れて食器かご５０に収納してもよい。ついで、一定量の洗剤を洗浄槽２内に投入し、洗浄槽２をキッチンカウンタ２００の収容部内に押し込んで収容する。このとき、洗浄槽２の上面開口部は、内蓋４により閉塞される。これにより、洗浄前の準備が完了する。
【００４７】
次に、食器類５１の洗浄、すすぎ、および乾燥の概要について説明する。
食器洗い乾燥機１００は、一般的に、食器類５１の汚れを分解して落すための洗剤を入れた洗浄工程と、洗剤および汚れを落すためのすすぎ工程と、すすいだ食器類５１を乾燥する乾燥工程との三工程からなっている。
【００４８】
ユーザーにより、通常制御モードであれば操作パネル４０の操作部４３に設けられた運転スイッチ（図示せず）が押下されたら、外部制御モードであれば情報端末機器３００から運転開始の操作が行われ、通信部７０がそれを受信したら、食器洗い乾燥機１００は動作を開始する。なお、食器洗い乾燥機１００の一連の動作については制御装置６０が制御し、その命令により各機能部品を動作させ、洗浄工程、すすぎ工程、乾燥工程の順に進行させていく。
【００４９】
制御装置６０は、運転スイッチが押下されたら、または情報端末機器３００から運転開始の操作が行われたら、まず洗浄工程を開始する。洗浄工程を開始したら、まず、給水手段（図示せず）により、給水口２４から洗剤が入れられた洗浄槽２内に一定量の水を給水して洗浄水とする。
【００５０】
次に、制御装置６０は、加熱ヒータ１０に通電し、貯留された洗浄水を加熱するとともに、洗浄ポンプ２５を駆動することにより、洗浄槽２内の洗浄水は、残菜フィルタ９から流入凹部６、洗浄水加熱流路７、吸込配管３０を経て洗浄ポンプ２５に吸込まれ、送水配管２９から洗浄ノズル２６に圧送され、噴射口２７、２７ａから噴射される。
【００５１】
このとき、洗浄ノズル２６は噴射口２７からの洗浄水の噴射による反力で回転し、食器かご５０に収納された食器類５１に洗浄水を万遍なく吹き付けて、汚れなどを落とす。食器類５１などに当たった洗浄水は、洗浄槽２内に落下し、残菜フィルタ９を通って再び循環し、洗浄ノズル２６からの噴射を繰り返す。この間、洗浄水は洗浄水加熱流路７内で加熱ヒータ１０により、例えば６０度の一定温度に加熱されて温水となり、また洗浄によって食器類５１から分離した残菜は、残菜フィルタ９に捕捉される。
【００５２】
そして、食器類５１の洗浄を所定の時間行ったら、制御装置６０は、送水配管２９から排水配管３１に切換えて、洗浄槽２内の汚れた洗浄水を排水配管３１から外部の下水などに排水し、洗浄工程を終了する。
【００５３】
洗浄工程が終了したら、制御装置６０は、続いてすすぎ工程を開始するが、再び給水口２４から洗浄槽２内に洗浄水を給水し、洗浄工程と同様の動作により、食器類５１に残った洗浄水および微細な汚れをすすぐ。なお、すすぎ工程においては、洗浄水に洗剤を投入しない。
【００５４】
そして、食器類５１のすすぎを所定の時間行ったら、制御装置６０は、送水配管２９から排水配管３１に切換えて、洗浄槽２内の汚れた洗浄水を排水配管３１から外部の下水などに排水し、すすぎ工程を終了する。
【００５５】
上記のような洗浄工程とすすぎ工程とを通常２〜４回行って食器類５１を洗浄する。
そして、最後に制御装置６０は、乾燥工程を開始する。乾燥工程を開始したら、温風送風部３５の送風ファン３６を駆動して温風送風口３９から洗浄槽２内に乾燥ヒータ３８で、例えば８０度に加熱された温風を送り、食器類５１の乾燥を行う。そして、これらを乾燥させた温風は、洗浄槽２の排気口（図示せず）から排気ダクト（図示せず）を経由して、前面扉５の排気口４２から食器洗い乾燥機１００の外部へ排出される。
【００５６】
そして、食器類５１の乾燥を所定の時間行ったら、制御装置６０は、送風ファン３６および乾燥ヒータ３８の通電を停止し、これにより、乾燥工程が終了する。
乾燥工程が終了したら、全ての工程が完了となる。
【００５７】
なお、本実施の形態１では、洗浄、すすぎ、乾燥という三工程の仕様で説明したが、この三工程の仕様に限定されるものではない。例えば、乾燥工程の次に、ドライキープの工程を行う仕様としてもよい。ここでいうドライキープとは、乾燥工程終了後に、洗浄槽２内に残る湿気が乾燥した食器類５１および食器かご５０に付着することがないように、乾燥工程終了後に一定時間、送風ファン３６のみを駆動して送風を行う工程である。
【００５８】
全ての工程が完了したら、ユーザーにより食器類５１を取り出す作業が行われる。なお、全ての工程が完了したことは、通常制御モードであれば操作パネル４０の表示部４４により報知され、外部制御モードであれば通信部７０から情報端末機器３００に情報が送信される。食器かご５０に食器類５１が載置されたときと同様に、取っ手４１に手を掛けて正面側に洗浄槽２が引き出され、前面扉５が開けられる。そして、洗浄槽２の上面開口部から、洗浄槽２内に収容された食器かご５０に載置された食器類５１が取り出され、洗浄槽２が筐体１内に押し込まれて前面扉５が閉じられる。
【００５９】
以上、本実施の形態１に係る食器洗い乾燥機１００によれば、上面が開口した洗浄槽２と、洗浄槽２内に回転自在に設けられ、洗浄水を噴射する洗浄ノズル２６と、外部の情報端末機器３００と無線通信を行う通信部７０と、ユーザーからの指示を受け付ける操作部４３と、操作部４３の操作内容に基づいて運転を制御する通常制御モード、および、通信部７０で受信した情報端末機器３００の操作内容に基づいて運転を制御する外部制御モードを有する制御装置６０と、を備えたものである。そのため、操作および表示に関する部品が少なくても情報端末機器３００から様々な操作および表示を行うことができ、美麗な外観を維持しつつ、ユーザーインターフェースを充実させることができる。
【００６０】
また、洗浄槽２の前面側に設けられた前面扉５を備え、前面扉５は上部に樹脂成形部品の操作パネル４０を有し、通信部７０は、情報端末機器３００から送信された信号を受信するとともに、信号を情報端末機器３００に送信するアンテナ部７１を有し、アンテナ部７１は前面扉５の内部かつ操作パネル４０の裏側に設けられている。そのため、金属のように信号を含む電波が遮蔽されずに透過し、電波障害なく、情報端末機器３００と通信部７０とで通信を行うことができる。
【００６１】
また、アンテナ部７１は、前面扉５の前面側から上面側に向かって傾斜して配置されている。そのため、前面扉５の前方および上方から情報端末機器３００を近づけることにより、通信部７０と情報端末機器３００との通信が可能であり、より広範囲で信号の送受信が可能となる。
【００６２】
実施の形態２．
以下、本発明の実施の形態２について説明するが、実施の形態１と重複するものについては説明を省略し、実施の形態１と同じ部分または相当する部分には同じ符号を付す。
【００６３】
図１７は、本発明の実施の形態２に係る食器洗い乾燥機１００の洗浄槽２をキッチンカウンタ２００の収容部から出した状態で操作部４３および表示部４４を上方から見た概略図であり、図１８は、本発明の実施の形態２に係る食器洗い乾燥機１００がビルトインされたキッチンカウンタ２００の正面図である。
【００６４】
本実施の形態２では、食器洗い乾燥機１００の操作部４３および表示部４４が、食器洗い乾燥機１００がビルトインされたキッチンカウンタ２００に、洗浄槽２が収容されている状態では露出していない前面扉５の上面側に設けられている。そのため、操作パネル４０には、中央部の取っ手４１および左側の排気口４２のみが設けられている。このように構成することで、操作パネル４０から操作部４３および表示部４４を無くすことができるため、正面視した際により美麗な外観を得ることができる。
【００６５】
このような構成であっても、実施の形態１に係る食器洗い乾燥機１００と同様、図１２に示すように、通信部７０のアンテナ部７１を、前面扉５の内部かつ操作パネル４０の裏側に、前面扉５の前面側から上面側に向かって傾斜して配置し、通信エリア表示部４５を、操作パネル４０の前面および上面（図示せず）に設ければ、前面扉５の前方および上方から通信エリア表示部４５に情報端末機器３００を近づけることにより、通信部７０と情報端末機器３００との通信が可能となる。
【００６６】
また、図１４に示すように、通信部７０のアンテナ部７１が前面扉５の前面側に前面と平行に配置されている場合は、通信エリア表示部４５を操作パネル４０の前面のみに設け、前面扉５の前方から通信エリア表示部４５に情報端末機器３００を近づけることにより、通信部７０と情報端末機器３００との通信が可能となる。
【００６７】
また、前面扉５の正面を樹脂成形部品ではなく、化粧面材１４ａが金属のように電波を遮蔽する材料で形成されている場合は、電波障害が発生してしまうため、図１３に示すように、通信部７０を前面扉５の上面側に上面と平行に配置し、前面扉５の上方から通信エリア表示部４５に情報端末機器３００を近づけることにより、通信部７０と情報端末機器３００との通信が可能となる。
【００６８】
図１９は、本発明の実施の形態２に係る食器洗い乾燥機１００の洗浄槽２をキッチンカウンタ２００の収容部から出した状態で操作部４３および表示部４４を上方から見た第１の変形例の概略図であり、図２０は、本発明の実施の形態２に係る食器洗い乾燥機１００がビルトインされたキッチンカウンタ２００の第１の変形例の正面図である。
【００６９】
本実施の形態２の第１の変形例では、食器洗い乾燥機１００の前面の上部の横方向全体に、つまり前面扉５の上部の横方向全体に樹脂成形部品のライン状取っ手４８が設けられている。そして、そのライン状取っ手４８内の左側に排気口４２が設けられており、右側にドア開ボタン４９が設けられている。そのため、ライン状取っ手４８を引き出して洗浄槽２をキッチンカウンタ２００の収容部から引出すこともできるし、ドア開ボタン４９を押下することで、自動で洗浄槽２をキッチンカウンタ２００の収容部から出すこともできるようになっている。
【００７０】
なお、本実施の形態２の第１の変形例では、前面扉５の上部の横方向全体に樹脂成形部品のライン状取っ手４８とドア開ボタン４９が併設された構成で説明したが、前面扉５の上部の横方向全体に取っ手ではない樹脂成形部品を備え、洗浄槽２はドア開ボタン４９によりキッチンカウンタ２００の収容部から出される構成であってもよい。また、本実施の形態２の第１の変形例では、ドア開ボタン４９が右側に設けられた構成で説明したが、中央に設けられていてもよい。ドア開ボタン４９を中央に設けることで、ユーザーが直感的に操作しやすくなる。
【００７１】
また、このような構成とすることで、通信部７０を前面扉５の内部かつライン状取っ手４８の裏側にも設けることができ、通信部７０を設置できる範囲を広くすることができる。この場合、ライン状取っ手４８の横方向に沿って複数の通信部７０のアンテナ部７１を設けてもよく、そうすることで、通信部７０と情報端末機器３００との通信をより広範囲で行うことが可能となる。そのため、ユーザーが意識して情報端末機器３００を通信部７０に近づけなくても、容易に通信を行うことが可能となる。
【００７２】
以上、本実施の形態２に係る食器洗い乾燥機１００によれば、実施の形態１に係る食器洗い乾燥機１００と同様に、操作および表示に関する部品が少なくても情報端末機器３００から様々な操作および表示を行うことができ、美麗な外観を維持しつつ、ユーザーインターフェースを充実させることができる。
【００７３】
また、樹脂成形部品に沿って複数の通信部７０のアンテナ部７１を設けることで、通信部７０と情報端末機器３００との通信をより広範囲で行うことが可能となる。そのため、ユーザーが意識して情報端末機器３００を通信部７０に近づけなくても、容易に通信を行うことが可能となる。
【符号の説明】
【００７４】
１  筐体、２  洗浄槽、２ａ  底部、４  内蓋、５  前面扉、６  流入凹部、７  洗浄水加熱流路、８  整流用突起部、９  残菜フィルタ、１０  加熱ヒータ、１１  支持固定部材、１４  化粧面材、１４ａ  化粧面材、１４ｂ  化粧面材、１５  断熱カバー、１７  遮熱板、１８  排水口、１９  洗浄口、２４  給水口、２５  洗浄ポンプ、２６  洗浄ノズル、２７  噴射口、２７ａ  噴射口、２８  支持軸、２９  送水配管、３０  吸込配管、３１  排水配管、３５  温風送風部、３６  送風ファン、３７  モータ、３８  乾燥ヒータ、３９  温風送風口、４０  操作パネル、４０ａ  操作パネル、４０ｂ  操作パネル、４１  取っ手、４２  排気口、４３  操作部、４４  表示部、４５  通信エリア表示部、４６  支持部材、４７  ばね、４８  ライン状取っ手、４９  ドア開ボタン、５０  食器かご、５１  食器類、６０  制御装置、６１  マイクロコンピュータ、７０  通信部、７１  アンテナ部、７２  通信制御部、８０  洗浄ポンプ、８１  排水ポンプ、１００  食器洗い乾燥機、２００  キッチンカウンタ、２０１  キッチンカウンタ正面、３００  情報端末機器、３０１  端末表示操作部。
【図１】
2018057479.tif 000003
【図２】
2018057479.tif 000004
【図３】
2018057479.tif 000005
【図４】
2018057479.tif 000006
【図５】
2018057479.tif 000007
【図６】
2018057479.tif 000008
【図７】
2018057479.tif 000009
【図８】
2018057479.tif 000010
【図９】
2018057479.tif 000011
【図１０】
2018057479.tif 000012
【図１１】
2018057479.tif 000013
【図１２】
2018057479.tif 000014
【図１３】
2018057479.tif 000015
【図１４】
2018057479.tif 000016
【図１５】
2018057479.tif 000017
【図１６】
2018057479.tif 000018
【図１７】
2018057479.tif 000019
【図１８】
2018057479.tif 000020
【図１９】
2018057479.tif 000021
【図２０】
2018057479.tif 000022